(57)【要約】【課題】ピンプラグを取り付けたケーブルが枠体の正面側に向かって引っ張られた際、ピンプラグがピンジャックに対して傾きを生じさせない。【解決手段】ピンプラグ２１が挿脱されるピンジャック３４を携帯用電子機器の外形を形成する枠体１１に取り付けるためのピンジャック取り付け機構において、前記ピンプラグ２１を挿脱するために該ピンプラグ２１に一体的に形成した把持用成型部２１ａをガイドすることで、前記ピンプラグ２１の前記ピンジャック３４への倒れを防止するピンプラグ倒れ防止壁１２ｃを、前記枠体１１に前記ピンジャック３４と同心的に突出形成したことを特徴とするピンジャック取り付け機構を提供する。【選択図】図１
2005093366.tif 000002
【特許請求の範囲】
【請求項１】
ピンプラグが挿脱されるピンジャックを携帯用電子機器の外形を形成する枠体に取り付けるためのピンジャック取り付け機構において、
前記ピンプラグを挿脱するために該ピンプラグに一体的に形成した把持用成型部をガイドすることで、前記ピンプラグの前記ピンジャックへの倒れを防止するピンプラグ倒れ防止壁を、前記枠体に前記ピンジャックと同心的に突出形成したことを特徴とするピンジャック取り付け機構。
【請求項２】
音声を入力するマイクロホンと、通信機に接続するための通信ケーブルと、イヤホーンプラグが挿脱されるイヤホーンジャックとを少なくとも枠体に取り付け、且つ、前記枠体の背面に止着具を取り付けた送受話機において、
前記マイクロホンに接続したマイクロホン用ワイヤと、前記通信ケーブル又は通信ケーブル用のコネクタと、前記イヤホーンジャックとを配線するための配線基板を、前記枠体内で前記背面に対して略垂直に設けたことを特徴とする送受話機。
【発明の詳細な説明】
【技術分野】
【０００１】
本発明は、ピンプラグが挿脱されるピンジャックを携帯用電子機器の外形を形成する枠体に取り付ける際、ピンプラグを取り付けたケーブルが枠体の正面側に向かって引っ張られてもピンプラグがピンジャックに対して傾きを生じさせないピンジャック取り付け機構及び送受話機に関するものである。
【背景技術】
【０００２】
イヤホーンを備えた携帯用電子機器の一例として、小型無線通信機がある（例えば、特許文献１参照）。
【特許文献１】特許第３０３１６０９号公報（第４−７頁、第１図及び第５図）。
【０００３】
図５は従来の小型無線通信機の使用状態を説明するための図、
図６は従来の小型無線通信機において、送受話機を拡大して示した正面図、
図７は従来の小型無線通信機において、送受話機を使用者の上着に止着した状態を示した側面図である。
【０００４】
図５及び図６に示した従来の小型無線通信機１００及び送受話機１１０は、上記した特許文献１に開示されているものであり、ここでは特許文献１を参照して簡略に説明する。
【０００５】
図５に示した如く、従来の小型無線通信機１００では、送受話機１１０がクリップ等の図示しない止着具を介して使用者の上着などの着衣に止着されている。また、送受話機１１０にはマイクロホン１１２が設けられていると共に、送受話機１１０に対して着脱自在なイヤホーンケーブル１２１の一端にイヤホーン１２２が取り付けられて、このイヤホーン１２２が使用者の耳に装着されている。
【０００６】
更に、無線機１３０が使用者の腰部に掛けたベルトに止着されており、且つ、送受話機１１０と無線機１３０との間に通信ケーブル１３１が着脱自在に接続されている。
【０００７】
ここで、図６に拡大して示した如く、上記した送受話機１１０の外形を形成する箱状の枠体１１１の上部にマイクロホン１１２が設けられている。また、枠体１１１の下方部位にイヤホーンジャック（図示せず）が取り付けられ、このイヤホーンジャックにイヤホーンケーブル１２１の他端に取り付けたイヤホーンプラグ１２３が挿脱自在になっている。  尚、イヤホーンジャック（図示せず）及びイヤホーンプラグ１２３は、一般的に、ピンジャック及びピンプラグが用いられている。
【０００８】
更に、枠体１１１の下方部位の外側に通信ケーブル１３１の一端に取り付けたスリーブ１３２が露出した状態で支持されており、且つ、通信ケーブル１３１の他端に不図示のピンプラグが無線機１３０に対して挿脱自在に取り付けられていると共に、スリーブ１３２に不使用時のイヤホーン１２２を係止するためのイヤホーンホルダ１３３が一体的に形成されている。
【０００９】
上記構成により、イヤホーン１２２を使用していない時には、イヤホーン１２２をスリーブ１３２と一体に形成したイヤホーンホルダ１３３に係止させることができ、イヤホーン１２２をポケット等に収納する必要がないので紛失を防止することができると共に、緊急時などの必要時にイヤホーン１２２を迅速に使用することができる旨が開示されている。
【発明の開示】
【発明が解決しようとする課題】
【００１０】
ところで、従来の小型無線通信機１００において、前述したように、送受話機１１０は使用者の上着などの着衣に止着された状態で使用しているが、この時、図７に示したように、送受話機１１０の枠体１１１の背面１１１ａに例えばクリップなどの止着具１１３を取り付けて、この止着具１１３を使用者の上着などの着衣に止着した場合に、イヤホーンプラグ１２３を取り付けたイヤホーンケーブル１２１が枠体１１１の正面１１１ｂ側に引っ張られるため、枠体１１１に取り付けたイヤホーンジャック（図示せず）に挿入したイヤホーンプラグ１２３が図中矢印方向に傾き、これに伴ってイヤホーンジャック（図示せず）に過度の負荷がかかってしまう。
【００１１】
ここで、イヤホーンジャック（図示せず）を枠体１１１に取り付ける際、イヤホーンジャック（図示せず）を枠体１１１内に設けた配線基板（図示せず）にハンダ付けした状態で取り付ける方法が一般的に行われており、この場合に、イヤホーンケーブル１２１が枠体１１１の正面１１１ｂ側に向かって引っ張られると、イヤホーンケーブル１２１の引っ張り力がイヤホーンプラグ１２３からイヤホーンジャック（図示せず）に伝達されるため、イヤホーンジャック（図示せず）をハンダ付けした配線基板（図示せず）でハンダ剥離が生じたり、あるいは、配線基板（図示せず）が破損するなどの現象が生じ問題となっている。
【００１２】
そこで、ピンプラグ（イヤホーンプラグ）が挿脱されるピンジャック（イヤホーンジャック）を枠体に取り付けた携帯用電子機器（送受話機）を使用者の上着などの着衣に止着した状態で使用する場合に、ピンプラグを取り付けたケーブルが枠体の正面側に向かって引っ張られてもピンプラグがピンジャックに対して傾きを生じさせない構造形態のピンジャック取り付け機構及び送受話機が望まれている。
【課題を解決するための手段】
【００１３】
本発明は上記課題に鑑みてなされたものであり、第１の発明は、ピンプラグが挿脱されるピンジャックを携帯用電子機器の外形を形成する枠体に取り付けるためのピンジャック取り付け機構において、
前記ピンプラグを挿脱するために該ピンプラグに一体的に形成した把持用成型部をガイドすることで、前記ピンプラグの前記ピンジャックへの倒れを防止するピンプラグ倒れ防止壁を、前記枠体に前記ピンジャックと同心的に突出形成したことを特徴とするピンジャック取り付け機構である。
【００１４】
また、第２の発明は、音声を入力するマイクロホンと、通信機に接続するための通信ケーブルと、イヤホーンプラグが挿脱されるイヤホーンジャックとを少なくとも枠体に取り付け、且つ、前記枠体の背面に止着具を取り付けた送受話機において、
前記マイクロホンに接続したマイクロホン用ワイヤと、前記通信ケーブル又は通信ケーブル用のコネクタと、前記イヤホーンジャックとを配線するための配線基板を、前記枠体内で前記背面に対して略垂直に設けたことを特徴とする送受話機である。
【発明の効果】
【００１５】
本発明に係るピンジャック取り付け機構によれば、ピンプラグを挿脱するためにピンプラグに一体的に形成した把持用成型部をガイドすることで、ピンプラグのピンジャックへの倒れを防止するピンプラグ倒れ防止壁を、枠体にピンジャックと同心的に突出形成したため、ピンプラグを取り付けたケーブルが枠体の正面側に向かって引っ張られた場合でも、ピンプラグ倒れ防止壁によりピンプラグのピンジャックへの倒れを防止できる。
【００１６】
また、本発明に係る送受話機によれば、マイクロホンに接続したマイクロホン用ワイヤと、通信ケーブル又は通信ケーブル用のコネクタと、イヤホーンジャックとをハンダ付けするための配線基板を、枠体内で背面に対して略垂直に設けたため、イヤホーンとイヤホーンプラグとを取り付けたイヤホーンケーブルが枠体の正面側に引っ張られても、配線基板にハンダ付けしたイヤホーンジャックでのハンダ剥離が発生せず、更に、配線基板が破損しない。
【発明を実施するための最良の形態】
【００１７】
以下に本発明に係るピンジャック取り付け機構及び送受話機の一実施例を図１乃至図４を参照して詳細に説明する。
【実施例】
【００１８】
図１は本発明に係るピンジャック取り付け機構及び送受話機を説明するための斜視図、
図２は図１に示した枠体を背面側の第１枠体と、正面側の第２枠体とに分解して示した分解斜視図、
図３は本発明に係るピンジャック取り付け機構及び送受話機において、送受話機の構成を説明するための図であり、（ａ）は上面図，（ｂ）は断面図、
図４は本発明に係るピンジャック取り付け機構及び送受話機において、ピンジャックに対するピンプラグの倒れ防止を説明するために模式的に示した模式図である。
【００１９】
図１に示した如く、本発明に係るピンジャック取り付け機構及び送受話機１０は、音声などを送受信するインターカム装置（無線装置）として適用できるものであり、この送受話機１０は従来例で説明したと同様に無線機４０に対して有線で接続可能に構成されている。尚、無線機４０は筐体４１の上部に他の無線機と無線で交信するためのアンテナ４２が取り付けられている。
【００２０】
ここで、送受話機１０の外形を形成する枠体１１は、樹脂材を用いて成形した背面側の第１枠体１２と、正面側の第２枠体１３とを突き合わせて略箱状に形成されている。
【００２１】
そして、枠体１１を構成する第１，第２枠体１２，１３の上方部位に突出した突出部１２ａ，１３ａ内にマイクロホン１４が取り付けられており、この突出部１２ａ，１３ａの外周は柔軟性のあるマイク用キャップ１６で覆われている。
【００２２】
また、枠体１１を構成する第１，第２枠体１２，１３内には、配線基板３０が設けられており、この配線基板３０の下端部位に雌型のピンジャック（イヤホーンジャック）３４がハンダ付けされた状態で第１枠体１２の底面１２ｂ側に設けられている。
【００２３】
一方、第１枠体１２の底面１２ｂ側には、イヤホーン２０を一端に取り付け、且つ、一端と反対の他端に雄型のピンプラグ（イヤホーンプラグ）２１を取り付けたイヤホーンケーブル２２が送受話機１０に接続可能に設けられており、雄型のピンプラグ２１は雌型のピンジャック３４に対して挿脱自在に嵌合できるようになっている。
【００２４】
また、枠体１１の一部を構成する第１枠体１２の底面１２ｂに連接して本発明の要部となるピンプラグ倒れ防止壁１２ｃがピンジャック３４と同心で下方に向かって管状（リング状）に突出形成されている。この際、ピンプラグ倒れ防止壁１２ｃは、ピンプラグ２１を挿脱するためにピンプラグ２１に一体的に形成した円筒状の把持用成型部２１ａをガイドすることで、ピンプラグ２１のピンジャック３４への倒れを防止する機能を備えている。
【００２５】
また、枠体１１を構成する第１，第２枠体１２，１３の底面１２ｂ，１３ｂには、通信ケーブル２３の一端に取り付けたスリーブ２４が露出した状態で支持されており、且つ、通信ケーブル２３の他端に上記したピンプラグ２１とは異なる形状の複合ピンプラグ２５が無線機４０に対して挿脱自在に取り付けられている。
【００２６】
この際、ピンプラグ２１は円筒状の把持用成型部２１ａの先端にφ２．５ｍｍの金属性ピンプラグ部（図示せず）が形成されており、一方、複合ピンプラグ２５は直方状の把持用成型部２５ａの先端にφ３．５ｍｍの金属性ピンプラグ部（図示せず）とφ２．５ｍｍの金属性ピンプラグ部（図示せず）とが形成されているので、両者２１，２５の挿入を間違えることはない。
【００２７】
また、枠体１１の一部を構成する第２枠体１３の正面１３ｃにマーク等の印刷部１３ｃ１がシルク印刷されている。
【００２８】
また、枠体１１を構成する第１，第２枠体１２，１３の右側面１２ｄ，１３ｄ側に配線基板３０に取り付けたスイッチ３１（図３）に対して接離自在な操作釦３２が設けられている。
【００２９】
また、枠体１１の一部を構成する第１枠体１２の背面１２ｆには、送受話機１０を使用する使用者の上着などの着衣に止着するための止着具としてクリップ２７が取り付けられている。尚、止着具はクリップ２７の他に安全ピンなどを用いても良い。
【００３０】
ここで、上記した枠体１１について、図２を用いて説明する。
【００３１】
上記した枠体１１は、前述したように樹脂材を用いて成形した第１，第２枠体１２，１３の内側同士を突き合わせて略箱状に形成されている。
【００３２】
まず、枠体１１の一部を構成する第１枠体１２は、背面側のハーフ部材として形成されているものであり、この上方部位にマイクロホン１４（図１，図３）を収納するための突出部１２ａが半円筒状に上方に向かって突出形成されている。また、突出部１２ａの上面に半円孔１２ａ１が穿接され、且つ、突出部１２ａの半円筒面に沿って貫通孔１２ａ２が２箇所穿接されており、これらの半円孔１２ａ１及び貫通孔１２ａ２から使用者の音声をマイクロホン１４（図１，図３）に取り込んでいる。
【００３３】
また、第１枠体１２の左側面１２ｅ側で底面１２ｂに連接して本発明の要部となるピンプラグ倒れ防止壁１２ｃが下方に向かって管状（リング状）に一体的に突出形成されている。このピンプラグ倒れ防止壁１２ｃの内径は、ピンプラグ２１の円筒状の把持用成型部２１ａ（図１，図３，図４）の外径よりも僅かに大径に形成されていると共に、ピンプラグ倒れ防止壁１２ｃの強度を確保し、且つ、ピンプラグ倒れ防止壁１２ｃの内径の寸法精度を確保するために第２枠体１３側に分けることなく第１枠体１２側のみに一体形成されている。
【００３４】
また、第１枠体１２の底面１２ｂでピンプラグ倒れ防止壁１２ｃよりも右側に大幅矩形状凹部１２ｂ１が形成されており、この大幅矩形状凹部１２ｂ１にスリーブ２４（図１，図３）が嵌め込まれるようになっている。
【００３５】
また、第１枠体１２の右側面１２ｄに切り欠き部１２ｇが形成されており、この切り欠き部１２ｇ内には操作釦３２（図１，図３）が取り付けられようになっている。この際、第１枠体１２の切り欠き部１２ｇの上下近傍に操作釦ガイド壁１２ｈが形成されている。  また、第１枠体１２の右側面１２ｄ及び左側面１２ｅの内側に浅い段差部（１２ｄ１…図示では見えない部位）及び浅い側面段差部１２ｅ１が形成されている。これらの側面段差部（１２ｄ１），１２ｅ１には、第２枠体１３の右側面１３ｄ及び左側面１３ｅの上部内側に低い高さで形成した側面ガイド壁１３ｄ１，１３ｅ１が嵌合することで、第１枠体１２と第２枠体１３とを突き合わせた時に両者が位置決めされるようになっている。
【００３６】
また、第１枠体１２の左側面１２ｅの内壁に連接して複数の配線基板ガイド壁１２ｉが形成されており、これら複数の配線基板ガイド壁１２ｉは左側面１２ｅの内壁に対して略直角に設けられ、且つ、背面１２ｆの内面上に垂設されている。また、複数の配線基板ガイド壁１２ｉの自由端から配線基板厚さだけ離れた背面１２ｆの内面上にも配線基板ガイド壁１２ｊが垂設されており、この配線基板ガイド壁１２ｊは背面１２ｆの内面上で左側面１２ｅと略平行に設けられている。
【００３７】
また、第１枠体１２の背面１２ｆの内面上には、２本のボス１２ｍ，１２ｎが間隔を離して垂設されており、各ボス１２ｍ，１２ｎの中心部には貫通孔が穿設されている。一方、第２枠体１３の正面１３ｃの内面上には、２本のボス１３ｍ，１３ｎが、第１枠体１２の２本のボス１２ｍ，１２ｎと対向して垂設されており、各ボス１３ｍ，１３ｎの中心部にはネジ孔が穿設されている。そして、第１，第２枠体１２，１３を突き合わせた時に、各２本のボス（１２ｍ，１２ｎ），（１３ｍ，１３ｎ）同士を対向させて２本のネジを用いて接合するようになっている。
【００３８】
また、第１枠体１２の背面１２ｆの内面上で略中央部位に円形台座１２ｋが形成されており、この円形台座１２ｋ内に穿設した丸孔１２ｋ１はクリップ２７（図１，図３）を支持するためのものである。
【００３９】
次に、枠体１１の一部を構成する第２枠体１３は、正面側のハーフ部材として形成されているものであり、この上方部位にマイクロホン１４（図１，図３）を収納するための突出部１３ａが半円筒状に上方に向かって突出形成されている。また、突出部１３ａの上面に半円孔１３ａ１が穿接され、且つ、突出部１３ａの半円筒面に沿って貫通孔１３ａ２が２箇所穿接されており、これらの半円孔１２ａ１及び２箇所の貫通孔１２ａ２から使用者の音声をマイクロホン１４（図１，図３）に取り込んでいる。
【００４０】
また、第２枠体１３の突出部１３ａ内の図示下方には仕切り板１３ｆが上方に向かって半円板状に突出形成されており、この仕切り板１３ｆより上部奥方がマイクロホン１４（図１，図３）を収納する空間になっていると共に、仕切り板１３ｆに形成したスリット１３ｆ１にマイクロホン用ワイヤ１７（図３）が挿通できるようになっている。
【００４１】
また、第２枠体１３の底面１３ｂには、大幅矩形状凹部１３ｂ１と、小幅矩形状凹部１３ｂ２と、半円弧状凹部１３ｂ３と、小幅矩形状凹部１３ｂ４とが右側面１３ｄ（図示では左側）から左側面１３ｅ（図示では右側）に向かって順に形成されている。この際、第２枠体１３の大幅矩形状凹部１３ｂ１は、第１枠体１２の大幅矩形状凹部１２ｂ１と対向してスリーブ２４（図１，図３）が嵌め込まれるようになっている。また、第２枠体１３の小幅矩形状凹部１３ｂ２と、半円弧状凹部１３ｂ３と、小幅矩形状凹部１３ｂ４は、第１枠体１２のピンプラグ倒れ防止壁１２ｃと対向し、且つ、小幅矩形状凹部１３ｂ２，１３ｂ４内に第１枠体１２のピンプラグ倒れ防止壁１２ｃの一部が嵌め込まれると共に、小幅矩形状凹部１３ｂ４内にピンジャック３４の直方状樹脂成型部３４ａの先端に管状に形成した金属性ピンジャック部３４ｂ（図３，図４）が嵌め込まれるようになっている。
【００４２】
また、第２枠体１３の右側面１３ｄに切り欠き部１３ｇが第１枠体１２の右側面１２ｄに形成した切り欠き部１２ｇと対向して形成されており、この切り欠き部１３ｇ内には操作釦３２（図１，図３）が取り付けられようになっている。この際、第２枠体１３の切り欠き部１３ｇの上下近傍に操作釦ガイド壁１３ｈが形成されている。
【００４３】
また、第２枠体１３の左側面１３ｅの内壁に連接して複数の配線基板ガイド壁（１３ｉ…図示では見えない部位）が形成されており、これら複数の配線基板ガイド壁（１３ｉ）は、第１枠体１２の複数の配線基板ガイド壁１２ｉと対向して設けられている。
【００４４】
また、第２枠体１３の右側面１３ｄの内壁に連接し、且つ、右側面１３ｄの内壁から左側面１２ｅ側に延出して２個の配線基板ガイド壁１３ｊが形成されており、これら２個の配線基板ガイド壁１３ｊの自由端の位置は、第１枠体１２の配線基板ガイド壁１２ｊの位置と対応している。
【００４５】
従って、配線基板３０（図１，図３）は、第１枠体１２側では複数の配線基板ガイド壁１２ｉと、配線基板ガイド壁１２ｊとの間に挟まれ、且つ、第２枠体１３側では複数の配線基板ガイド壁（１３ｉ）と、２個の配線基板ガイド壁１３ｊとの間に挟まれた状態で第１枠体１２の背面１２ｆに対して垂設されることになる。
【００４６】
次に、枠体１１の一部を構成する第１枠体１２内に送受話機１０の各構成部材を組み立てた状態について図３（ａ），（ｂ）を用いて説明する。
【００４７】
図３（ａ），（ｂ）に示した如く、第１枠体１２の上方部位に形成した突出した突出部１２ａ内にマイクロホン１４が取り付けられており、この突出部１２ａの外周はマジックテープ１５（登録商標）を介して柔軟性のあるマイク用キャップ１６で覆われている。
【００４８】
また、第１枠体１２内には、配線基板３０が左側面１２側に接近し、且つ、この左側面１２と略平行で背面１２ｆの内面に対して略垂直に設置されている。
【００４９】
そして、配線基板３０の上端側にマイクロホン１４と接続したマイクロホン用ワイヤ１７がハンダ付けにより配線されている。更に、配線基板３０には、上方から下方に向かってスイッチ３１と、コネクタ３３と、ピンジャック３４とがハンダ付けにより配線されていると共に、スイッチ３１に接離する操作釦３２が第１枠体１２の右側面１２ｄに切り欠き形成した切り欠き部１２ｇに臨んでいる。
【００５０】
この際、操作釦３２は、操作面部３２ａと、ガイド部３２ｂと、スイッチ押圧部３２ｃとが樹脂材により一体的に形成されており、使用者が操作面部３２ａを押すと、スイッチ押圧部３２ｃがスイッチ３１に当接してスイッチ３１がＯＮ状態となり、マイクロホン１４の音声を取り込めることができる。
【００５１】
また、配線基板３０の中間部位にハンダ付けしたコネクタ３３には、スリーブ２４から第１枠体１２内に延出した通信ケーブル２３に取り付けたコネクタ２６が嵌合している。尚、配線基板３０にハンダ付けしたコネクタ３３と、通信ケーブル２３に取り付けたコネクタ２６とを設けずに、これに代えて、スリーブ２４から第１枠体１２内に延出した通信ケーブル２３を配線基板３０の中間部位に直接ハンダ付けしても良い。
【００５２】
また、配線基板３０の下端部位にハンダ付けしたピンジャック３４は、直方状樹脂成型部３４ａの先端に金属性ピンジャック部３４ｂがφ２．５ｍｍの内径で管状に形成されており、この金属性ピンジャック部３４ｂが第１枠体１２の底面１２ｂに形成した管状のピンプラグ倒れ防止壁１２ｃの一部に嵌合し、これにより金属性ピンジャック部３４ｂとピンプラグ倒れ防止壁１２ｃとが略同心となっている。更に、管状のピンプラグ倒れ防止壁１２ｃの内径は、ピンプラグ２１の円筒状の把持用成型部２１ａの外径よりも僅かに大径に形成されている。このピンプラグ２１は、前述したように、イヤホーン２０を一端に取り付けたイヤホーンケーブル２２の他端に取り付けられており、円筒状の把持用成型部２１ａの先端にφ２．５ｍｍで形成した金属性ピンプラグ部２１ｂがピンジャック３４の金属性ピンジャック部３４ｂに対して挿脱自在になっている。
【００５３】
また、第１枠体１２の背面１２ｆの内面上で略中央部位に形成した円形台座１２ｋの丸孔１２ｋ１（図２）内に軸２８が嵌め込まれてＥリング２９で抜け防止が図られており、この軸２８は第１枠体１２の背面１２ｆでクリップ２７を支持している。
【００５４】
そして、上記した各構成部材を第１枠体１２内に組み立てた後に、第１枠体１２に第２枠体１３（図１，図２）を蓋合わせして、送受話機１０を組み立てている。
【００５５】
ここで、使用者が送受話機１０を使用する際、ピンプラグ２１を取り付けたイヤホーンケーブル２２が枠体１１を構成する第２枠体１３の正面１３ｃ（図１）側に向かって引っ張られた場合に、イヤホーンケーブル２２の引っ張り力がピンプラグ（イヤホーンプラグ）２１からピンジャック（イヤホーンジャック）３４に伝達されるが、ピンジャック３４は枠体１１内で第１枠体１２の背面１２ｆに対して略垂直に設けた配線基板３０にハンダ付けされているために、イヤホーンケーブル２２が第２枠体１３の正面１３ｃ側に引っ張られても、配線基板３０にハンダ付けしたピンジャック３４でのハンダ剥離が発生せず、更に、配線基板３０が破損しない。
【００５６】
また、イヤホーンケーブル２２が第２枠体１３の正面１３ｃ（図１）側に向かって引っ張られた場合に、第１枠体１２の底面１２ｂに突出形成したピンプラグ倒れ防止壁１２ｃによりピンプラグ２１のピンジャック３４への倒れを防止するために、図４（ａ），（ｂ）に示したように、ピンプラグ２１の把持用成型部２１ａの外径をφＡ、第１枠体１２の底面１２ｂに突出形成したピンプラグ倒れ防止壁１２ｃの内径をφＢ（但し、φＢ＞φＡ）、ピンプラグ倒れ防止壁１２ｃの高さをＣとし、更に、第１枠体１２の底面１２ｂに取り付けたピンジャック３４に破損が生じるピンプラグ２１の傾きをα、ピンプラグ倒れ防止壁１２ｃを形成した時のピンプラグ２１の傾きをβ（図示せず）とすると、イヤホーンケーブル２２が引っ張られた時のピンプラグ２１の傾きβは、                              ｔａｎβ＝Ｃ／｛（Ｂ−Ａ）／２｝  となり、                                      β＝ｔａｎ−１｛２Ｃ／（Ｂ−Ａ）｝  である。
【００５７】
よって、ｔａｎ−１｛２Ｃ／（Ｂ−Ａ）｝＜α  の条件を満たすピンプラグ倒れ防止壁１２ｃを形成することにより、イヤホーンケーブル２２が第２枠体１３の正面１３ｃ（図１）側に向かって引っ張られた場合でも、ピンプラグ倒れ防止壁１２ｃによりピンプラグ２１のピンジャック３４への倒れを防止できる。
【図面の簡単な説明】
【００５８】
【図１】本発明に係るピンジャック取り付け機構及び送受話機を説明するための斜視図である。
【図２】図１に示した枠体を背面側の第１枠体と、正面側の第２枠体とに分解して示した分解斜視図である。
【図３】本発明に係るピンジャック取り付け機構及び送受話機において、送受話機の構成を説明するための図であり、（ａ）は上面図，（ｂ）は断面図である。
【図４】本発明に係るピンジャック取り付け機構及び送受話機において、ピンジャックに対するピンプラグの倒れ防止を説明するために模式的に示した模式図である。
【図５】従来の小型無線通信機の使用状態を説明するための図である。
【図６】従来の小型無線通信機において、送受話機を拡大して示した正面図である。
【図７】従来の小型無線通信機において、送受話機を使用者の上着に止着した状態を示した側面図である。
【符号の説明】
【００５９】
１０…送受話機、
１１…枠体、
１２…第１枠体、１２ａ…突出部、１２ｂ…底面、１２ｃ…ピンプラグ倒れ防止壁、
１２ｄ…右側面、１２ｅ…左側面、１２ｆ…背面、
１３…第２枠体、１３ａ…突出部、１３ｂ…底面、１３ｃ…正面、
１３ｄ…右側面、１３ｅ…左側面、
１４…マイクロホン、１７…マイクロホン用ワイヤ、
２０…イヤホーン、
２１…雄型のピンプラグ、
２１ａ…円筒状の把持用成型部、２１ｂ…金属性ピンプラグ部、
２２…イヤホーンケーブル、２３…通信ケーブル、２４…スリーブ、
２５…複合ピンプラグ、２６…コネクタ、
２７…クリップ、
３０…配線基板、３１…スイッチ、３２…操作釦、３３…コネクタ、
３４…ピンジャック、
３５ａ…直方状樹脂成型部、３４ｂ…金属性ピンジャック部、
４０…無線機。
【図１】
2005093366.tif 000003
【図２】
2005093366.tif 000004
【図３】
2005093366.tif 000005
【図４】
2005093366.tif 000006
【図５】
2005093366.tif 000007
【図６】
2005093366.tif 000008
【図７】
2005093366.tif 000009